【手続補正書】
【提出日】平成16年4月5日(2004.4.5)
【手続補正１】
【補正対象書類名】明細書
【補正対象項目名】特許請求の範囲
【補正方法】変更
【補正の内容】
【特許請求の範囲】
【請求項１】
複数の可変表示領域にそれぞれ複数の識別情報を変動表示する変動表示ゲームを表示可能な表示装置と、
前記表示装置における変動表示ゲームを制御するためのコマンドを送信すると共に、遊技の進行を管理する遊技制御装置と、
前記遊技制御装置からのコマンドに基づいて表示装置における表示を制御する表示制御装置と、を備え、
前記遊技制御装置から前記表示制御装置へ送信されるコマンドには、
変動表示ゲームの開始および変動表示ゲームの識別情報の変動パターンを指定する変動コマンドと、変動表示ゲームの各可変表示領域の各停止識別情報を指定する各停止識別情報コマンドと、変動表示ゲームの全識別情報の停止を指示する変動停止コマンドと、
を有し、
前記表示制御装置は、前記変動コマンドおよび前記各停止識別情報コマンドに基づいて変動表示ゲームを開始し、前記変動停止コマンドに基づいて変動表示ゲームを停止するように表示装置の表示を制御する遊技機において、
前記遊技制御装置は、
当該遊技機の電源遮断によって中断された変動表示ゲームの各停止識別情報コマンドを変動表示ゲームの結果を特定可能な結果特定情報として電源遮断後においても記憶保持可能な遊技情報記憶保持手段を備え、
停電復旧時に前記表示制御装置へ停電復帰コマンドと前記遊技情報記憶保持手段に記憶保持される各停止識別情報コマンドとを送信するように構成され、
該送信される停電復帰コマンドは、停電復旧のタイミングが前記変動停止コマンドの送信前と送信後とで異なるものであり、
前記変動停止コマンドの送信前であれば停電復旧画面を指定する復旧画面指定コマンドを送信する一方、前記変動停止コマンドの送信後であれば変動停止状態を指示する変動停止状態コマンドを送信するようにし、
前記表示制御装置は、
前記各停止識別情報コマンドおよび前記復旧画面指定コマンドを受信した場合には、該復旧画面指定コマンドに基づく停電復帰表示を行った後に変動表示ゲームの結果報知表示を行う一方、
前記各停止識別情報コマンドおよび前記変動停止状態コマンドを受信した場合には、直ちに変動表示ゲームの結果報知表示を行うようにしたことを特徴とする遊技機。
【請求項２】
前記表示制御装置は、
前記停電復帰表示を行った後に前記遊技制御装置から前記変動停止コマンドを受信すると、前記各停止識別情報コマンドに基づく変動表示ゲームの結果報知表示を行うことを特徴とする請求項１に記載の遊技機。
【請求項３】
前記停電復帰表示は、
遊技の再開を促す表示と共に、停電によって中断された変動表示ゲームの１過程の情報の表示を行うものであり、
前記変動表示ゲームの１過程の情報の表示には、全識別情報の変動中の表示またはリーチ状態の表示または仮停止状態の表示を含むことを特徴とする請求項１または２に記載の遊技機。
【請求項４】
前記結果報知表示は、
停電によって中断された変動表示ゲームの結果を、文字により表示するものを含むことを特徴とする請求項１〜３のいずれか１つに記載の遊技機。
【手続補正２】
【補正対象書類名】明細書
【補正対象項目名】０００８
【補正方法】変更
【補正の内容】
【０００８】
【課題を解決するための手段】
第１の発明は、複数の可変表示領域にそれぞれ複数の識別情報を変動表示する変動表示ゲームを表示可能な表示装置と、前記表示装置における変動表示ゲームを制御するためのコマンドを送信すると共に、遊技の進行を管理する遊技制御装置と、前記遊技制御装置からのコマンドに基づいて表示装置における表示を制御する表示制御装置と、を備え、前記遊技制御装置から前記表示制御装置へ送信されるコマンドには、変動表示ゲームの開始および変動表示ゲームの識別情報の変動パターンを指定する変動コマンドと、変動表示ゲームの各可変表示領域の各停止識別情報を指定する各停止識別情報コマンドと、変動表示ゲームの全識別情報の停止を指示する変動停止コマンドと、を有し、前記表示制御装置は、前記変動コマンドおよび前記各停止識別情報コマンドに基づいて変動表示ゲームを開始し、前記変動停止コマンドに基づいて変動表示ゲームを停止するように表示装置の表示を制御する遊技機において、前記遊技制御装置は、当該遊技機の電源遮断によって中断された変動表示ゲームの各停止識別情報コマンドを変動表示ゲームの結果を特定可能な結果特定情報として電源遮断後においても記憶保持可能な遊技情報記憶保持手段を備え、停電復旧時に前記表示制御装置へ停電復帰コマンドと前記遊技情報記憶保持手段に記憶保持される各停止識別情報コマンドとを送信するように構成され、該送信される停電復帰コマンドは、停電復旧のタイミングが前記変動停止コマンドの送信前と送信後とで異なるものであり、前記変動停止コマンドの送信前であれば停電復旧画面を指定する復旧画面指定コマンドを送信する一方、前記変動停止コマンドの送信後であれば変動停止状態を指示する変動停止状態コマンドを送信するようにし、前記表示制御装置は、前記各停止識別情報コマンドおよび前記復旧画面指定コマンドを受信した場合には、該復旧画面指定コマンドに基づく停電復帰表示を行った後に変動表示ゲームの結果報知表示を行う一方、前記各停止識別情報コマンドおよび前記変動停止状態コマンドを受信した場合には、直ちに変動表示ゲームの結果報知表示を行うようにした。


【手続補正３】
【補正対象書類名】明細書
【補正対象項目名】０００９
【補正方法】変更
【補正の内容】
【０００９】
第２の発明は、第１の発明において、前記表示制御装置は、前記停電復帰表示を行った後に前記遊技制御装置から前記変動停止コマンドを受信すると、前記各停止識別情報コマンドに基づく変動表示ゲームの結果報知表示を行う。


【手続補正４】
【補正対象書類名】明細書
【補正対象項目名】００１０
【補正方法】変更
【補正の内容】
【００１０】
第３の発明は、第１、第２の発明において、前記停電復帰表示は、遊技の再開を促す表示と共に、停電によって中断された変動表示ゲームの１過程の情報の表示を行うものであり、前記変動表示ゲームの１過程の情報の表示には、全識別情報の変動中の表示またはリーチ状態の表示または仮停止状態の表示を含む。


【手続補正５】
【補正対象書類名】明細書
【補正対象項目名】００１１
【補正方法】変更
【補正の内容】
【００１１】
第４の発明は、第１〜第３の発明において、前記結果報知表示は、停電によって中断された変動表示ゲームの結果を、文字により表示するものを含む。


【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】変更
【補正の内容】
【００２１】
【発明の効果】
第１の発明では、停電復旧タイミングが変動表示ゲームの変動中の場合には、変動表示ゲームの結果報知表示の前にその表示と異なる態様で停電復帰表示が行われ、その後変動表示ゲームの結果報知表示が行われるので、例えば中断された変動表示ゲームの残り時間が長いとき等、遊技者に退屈な表示と感じさせたり、遊技者を困惑させるようなことはなく、復旧タイミングが変動表示ゲームの停止の場合には、直ぐに変動表示ゲームの結果報知表示が行われるので、変動表示ゲームの結果報知表示を適切に行える。


【手続補正１６】
【補正対象書類名】明細書
【補正対象項目名】００２２
【補正方法】変更
【補正の内容】
【００２２】
第２の発明では、変動停止コマンドの受信つまり正常時の変動停止タイミングにて変動表示ゲームの結果報知表示が行われるので、変動表示ゲームの結果報知表示を的確に行える。


【手続補正１７】
【補正対象書類名】明細書
【補正対象項目名】００２３
【補正方法】変更
【補正の内容】
【００２３】
第３の発明では、遊技の再開を促す表示と共に、停電によって中断された変動表示ゲームの１過程の表示を行えば、変動表示途中である旨を報知でき、遊技者に変動表示ゲームの結果への期待感を持たせることができる。


【手続補正１８】
【補正対象書類名】明細書
【補正対象項目名】００２４
【補正方法】変更
【補正の内容】
【００２４】
第４の発明では、遊技の再開を促す文字を表示するので、遊技者にとって停電から復帰したことが分かりやすく、直ぐに遊技を再開することができる。


【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】